(57)【要約】【課題】原稿のＲ、Ｇ、Ｂのそれぞれの色データに対して黒レベル調整処理や白レベル調整処理などを行う場合に、調整時間を短縮する。【解決手段】ＣＰＵ２３は省エネモード中又は電源遮断中（ステップＳ１１）から省エネモード復帰命令又は電源オン（ステップＳ１２）を経由すると、キャリッジをホームポジションに戻すホーミングと初期データの設定を行い（ステップＳ１３）、次いでＧ出力黒レベル調整を行い（ステップＳ１４）、次いで白レベル調整を行う（ステップＳ１５）。次いで調整が正常に終了すれば（ステップＳ１６でイエス）、工場出荷時のデータをメモリ２４から呼び出し（ステップＳ１７）、次いでＲ、Ｇ出力設定値を演算し（ステップＳ１８）、次いでその演算した調整値をメモリ２４に設定する（ステップＳ１９）。【選択図】        図４
2004214723.tif 000002
【特許請求の範囲】
【請求項１】
原稿のＲ、Ｇ、Ｂのそれぞれの色データに対して調整処理を行うカラー読み取り装置において、
工場出荷時に前記Ｒ、Ｇ、Ｂのそれぞれの色データに対する調整値を予め記憶する記憶手段と、
ユーザ使用時に前記Ｒ、Ｇ、Ｂのうちの１つの第１の色データに対して調整処理を行い、前記第１の色データに対して調整した値と前記記憶手段に記憶された調整値に基づいて他の２つの第２の色データに対して調整処理を行う調整手段とを備えたカラー読み取り装置。
【請求項２】
前記記憶手段は、工場出荷時に前記Ｒ、Ｇ、Ｂのそれぞれの色データに対して調整された黒レベル及び／又は白レベルの調整値を予め記憶し、
前記調整手段は、ユーザ使用時に前記Ｒ、Ｇ、Ｂのうちの１つの第１の色データに対して黒レベル及び／又は白レベルを調整し、前記第１の色データに対して調整した値と前記記憶手段に記憶された調整値に基づいて他の２つの第２の色データに対して黒レベル及び／又は白レベルを調整することを特徴とする請求項１記載のカラー読み取り装置。
【請求項３】
前記調整手段は、調整毎に前記第１の色データを順番に変更して調整処理を行うことを特徴とする請求項１又は２記載のカラー読み取り装置。
【請求項４】
ユーザが指示した場合に、前記調整手段が前記Ｒ、Ｇ、Ｂの全ての色データに対して調整処理を行うことを特徴とする請求項１ないし３のいずれか１つに記載のカラー読み取り装置。
【請求項５】
請求項１ないし４のいずれか１つに記載のカラー読み取り装置と、
前記カラー読み取り装置によって読み取られた情報に基づいて記録媒体に多色の可視画像を形成する画像形成手段と、
を備えてなるカラー画像形成装置。
【発明の詳細な説明】
【０００１】
【発明の属する技術分野】
本発明は、原稿のＲ、Ｇ、Ｂのそれぞれの色データに対して黒レベル調整処理や白レベル調整処理などを行うカラー読み取り装置及びカラー画像形成装置に関する。
【０００２】
【従来の技術】
従来例として特許文献１には、原稿に対して、赤、緑、青の３減色を発光する３個の光源からの光を順次照射し、この原稿によって反射される各色の反射光を単一のイメージセンサで受光することによってカラー画像情報を得るスキャナーにおいて、上記赤、緑、青の各反射光の入射によって上記イメージセンサが出力する各信号に対するホワイトレベルをそれぞれ個別に調整するための３個のボリウムとその各色用のボリウムの調整量に応じて上記イメージセンサの出力信号の各色のホワイトレベルをそれぞれ個別に設定する設定器を備えるとともにそれらのボリウムは、常に設定器に接続され、当該ボリウムが操作されたときには、必ず設定器が上記出力信号の各色のホワイトレベルを変更するように構成したカラースキャナが開示されている。
【０００３】
また、特許文献２では、カラー原稿を読み取ってカラー画像データを出力する場合は、赤、緑、青の各色光を発光する光源が順次に点灯されて原稿を照射する。原稿の各色の反射光は光電変換回路で順次読み取られ処理部で処理されることによりカラー画像データが得られる。また白黒コピーを行うときは、光源選択回路により上記光源の内の１つが選択されて点灯される。これによって、カラー原稿上の選択された色が黒で強調された白黒画像データを得ることができる。
【０００４】
また、特許文献３では、代表値算出部において色成分毎に代表値を算出し調整係数算出部に置いて前記代表値に基づいて色成分毎に補正を施すための調整係数を算出し、調整係数補正部において該調整係数を連続的に補正し、画像補正部に置いて各色成分毎に前記調整係数に基づいた補正を施す。また、複数の入力機器の特性を特定し該特性に基づいて画像データに対する補正処理の組み合わせを制御する。
【０００５】
【特許文献１】
特開平２−２９１７８０号公報
【０００６】
【特許文献２】
特開２０００−３４９９７０号公報
【０００７】
【特許文献３】
特開２０００―１５２０１８号公報
【０００８】
【発明が解決しようとする課題】
ところで、従来のカラー読み取り装置では、原稿読み取り時の黒レベル、白レベル等の各読み取り特性値を適正に保つため、電源ｏｎ時や省エネモードからの復帰時、特に読み取りユニットの電源遮断を伴う時に再調整を行っていたので、環境への配慮等により、頻繁に省エネモードに移行させたりする場合には、カラーのＲ、Ｇ、Ｂの３色に対してそれぞれ調整を行っており調整の間、ユーザは待機せざる得ない状態にあり、ストレスと環境配慮のトレードオフとなっていた。
【０００９】
本発明は上記従来例の問題点に鑑み、原稿のＲ、Ｇ、Ｂのそれぞれの色データに対して黒レベル調整処理や白レベル調整処理などを行う場合に、調整時間を短縮することができるカラー読み取り装置及びカラー画像形成装置を提供することを目的とする。
【００１０】
本発明はまた、調整時間を短縮しても調整バラツキを小さくすることができるカラー読み取り装置及びカラー画像形成装置を提供することを目的とする。
【００１１】
本発明はまた、調整時間を短縮しても高画質を得ることができるカラー読み取り装置及びカラー画像形成装置を提供することを目的とする。
【００１２】
【課題を解決するための手段】
第１の手段は上記目的を達成するために、原稿のＲ、Ｇ、Ｂのそれぞれの色データに対して調整処理を行うカラー読み取り装置において、工場出荷時に前記Ｒ、Ｇ、Ｂのそれぞれの色データに対する調整値を予め記憶する記憶手段と、ユーザ使用時に前記Ｒ、Ｇ、Ｂのうちの１つの第１の色データに対して調整処理を行い、前記第１の色データに対して調整した値と前記記憶手段に記憶された調整値に基づいて他の２つの第２の色データに対して調整処理を行う調整手段とを備えたことを特徴とする。
【００１３】
具体的には図４に示すように、ＣＰＵ２３は省エネモード中又は電源遮断中（ステップＳ１１）から省エネモード復帰命令又は電源オン（ステップＳ１２）を経由すると、キャリッジをホームポジションに戻すホーミングと初期データの設定を行い（ステップＳ１３）、次いでＧ出力黒レベル調整を行い（ステップＳ１４）、次いで白レベル調整を行う（ステップＳ１５）。次いで調整が正常に終了すれば（ステップＳ１６でイエス）、工場出荷時のデータをメモリ２４から呼び出し（ステップＳ１７）、次いでＲ、Ｇ出力設定値を演算し（ステップＳ１８）、次いでその演算した調整値をメモリ２４に設定する（ステップＳ１９）。
【００１４】
上記構成により、原稿のＲ、Ｇ、Ｂのそれぞれの色データに対して調整処理を行う場合に、調整時間を１／３に短縮することができる。
【００１５】
第２の手段は、第１の手段において、前記記憶手段が、前記記憶手段は、工場出荷時に前記Ｒ、Ｇ、Ｂのそれぞれの色データに対して調整された黒レベル及び／又は白レベルの調整値を予め記憶し、前記調整手段が、ユーザ使用時に前記Ｒ、Ｇ、Ｂのうちの１つの第１の色データに対して黒レベル及び／又は白レベルを調整し、前記第１の色データに対して調整した値と前記記憶手段に記憶された調整値に基づいて他の２つの第２の色データに対して黒レベル及び／又は白レベルを調整することを特徴とする。
【００１６】
上記構成により、原稿のＲ、Ｇ、Ｂのそれぞれの色データに対して黒レベル調整処理や白レベル調整処理などを行う場合に、調整時間を１／３に短縮することができる。
【００１７】
第３の手段は、第１、第２の手段において、前記記憶手段が、調整毎に前記第１の色データを順番に変更して調整処理を行うことを特徴とする。
【００１８】
上記構成により、調整時間を短縮しても調整バラツキを小さくすることができる。
【００１９】
第４の手段は、第１ないし第３の手段において、ユーザが指示した場合に、前記調整手段が前記Ｒ、Ｇ、Ｂの全ての色データに対して調整処理を行うことを特徴とする。
【００２０】
第５の手段は、第１ないし第４の手段のカラー読み取り装置と、前記カラー読み取り装置によって読み取られた情報に基づいて記録媒体に多色の可視画像を形成する画像形成手段とからカラー画像形成装置を構成したことを特徴とする。
【００２１】
【発明の実施の形態】
以下、図面を参照して本発明の実施の形態について説明する。図１は本発明に係るカラー読み取り装置を備えたカラー画像形成装置の一実施形態を示すブロック図、図２はその制御構成を示すブロック図、図３は本発明と比較するための従来の処理を説明するためのフローチャート、図４は本発明の処理を説明するためのフローチャートである。
【００２２】
図１において、参照番号１００は複写装置本体、２００はそれを載せる給紙テーブル、３００は複写装置本体１００上に取り付けるスキャナ、４００はさらにその上に取り付ける原稿自動搬送装置（ＡＤＦ）である。
【００２３】
複写装置本体１００には、中央に、無端ベルト状の中間転写体１０が設けられている。この中間転写体１０は、例えば伸びの少ないフッ素系樹脂や伸びの大きなゴム材料に帆布など伸びにくい材料で構成されたベース層と、このベース層上に設けられた弾性層と、この弾性層の表面にコーティングされた平滑性のよいコート層から構成されている。弾性層は、例えばフッ素系ゴムやアクリロニトリル−ブタジエン共重合ゴムなどで作られており、コート層は、例えばフッ素系樹脂で作られている。
【００２４】
上述のように構成された中間転写体１０は、図１に示すように、第１、第２、第３の支持ローラ１４，１５，１６に掛け回されており、図１において時計回りに回転する。この実施の形態においては、３つ支持ローラのなかで第２の支持ローラ１５の左に、画像転写後に中間転写体１０上に残留する残留トナーを除去する中間転写体クリーニング装置１７が設けられている。
【００２５】
また、第１の支持ローラ１４と第２の支持ローラ１５間に張り渡された中間転写体１０上に、その搬送方向に沿って、イエロー（Ｙ）、シアン（Ｃ）、マゼンタ（Ｍ）、ブラック（Ｋ）の単色画像を形成するための４つの感光体４０Ｙ，４０Ｃ，４０Ｍ，４０Ｋ及び画像形成手段１８Ｙ，１８Ｃ，１８Ｍ，１８Ｋを横に並べて配置してタンデム画像形成部２０を構成している。そのタンデム画像形成部２０の上には、図１に示すように、さらに露光装置２１が設けられている。なお、参照番号の後に付けたアルファベットは色彩を表すもので、イエロー用はＹ、シアン用にＣ、マゼンタ用はＭ、ブラック用はＫをつけて区別している。符号６２は中間転写体１０上に各色の画像を１次転写する転写装置である。
【００２６】
一方、中間転写体１０を挟んでタンデム画像形成部２０と反対の側には、２次転写装置２２が備えられている。２次転写装置２２は、図示例では、２つのローラ２３間に、無端ベルトである２次転写ベルト２４を掛け渡すことにより構成されており、中間転写体１０を介して第３の支持ローラ１６に押し当てるように配置され、中間転写体１０上の画像を転写紙に転写する。
【００２７】
２次転写装置２２の横には、転写紙上の転写画像を定着する定着装置２５が設けられている。定着装置２５は、無端ベルトである定着ベルト２６に加圧ローラ２７を押し当てるようにして構成されている。上述した２次転写装置２２には、画像転写後の転写紙をこの定着装置２５へと搬送する転写紙搬送機能も備えている。もちろん、２次転写装置２２として、転写ローラや非接触のチャージャを配置してもよく、そのような場合は、この転写紙搬送機能を併せて備えることは難しくなる。
【００２８】
このような２次転写装置２２および定着装置２５の下に、タンデム画像形成部２０と平行に、転写紙の両面に画像を記録すべく転写紙を反転する転写紙反転装置２８が設けられている。
【００２９】
さて、このカラー複写機を用いてコピーをとるときは、原稿自動搬送装置４００の原稿台３０上に原稿をセットするか、原稿自動搬送装置４００を開いてスキャナ３００のコンタクトガラス３２上に原稿をセットして、原稿自動搬送装置４００を閉じてそれで押さえる。そして、スタートスイッチ(図示しない）を押すと、原稿自動搬送装置４００に原稿をセットしたときは、原稿を搬送してコンタクトガラス３２上へと移動して後、他方コンタクトガラス３２上に原稿をセットしたときは、直ちにスキャナ３００を駆動し、第１走行体３３および第２走行体３４を走行する。そして、第１走行体３３で光源から光を発射するとともに原稿面からの反射光をさらに反射して第２走行体３４に向け、第２走行体３４のミラーで反射して結像レンズ３５を通して読取りセンサ３６に入れ、原稿内容を読み取る。
【００３０】
また、上記のスタートスイッチを押すと、図示しない駆動モータで駆動ローラである第１の支持ローラ１４を回転駆動し、残り２つの従動ローラである第２および第３の支持ローラ１５，１６を従動回転し、中間転写体１０を回転搬送する。同時に、個々の画像形成手段１８でその感光体４０を回転して各感光体４０上にそれぞれ、ブラック、イエロー、マゼンタ、シアンの単色画像を形成する。そして、中間転写体１０の搬送とともに、それらの単色画像を順次転写して中間転写体１０上に合成カラー画像を形成する。
【００３１】
一方、上記のスタートスイッチを押すと、給紙テーブル２００の給紙ローラ４２の１つを選択回転し、ペーパーバンク４３に多段に備える給紙カセット４４の１つから転写紙を繰り出し、分離ローラ４５で１枚ずつ分離して給紙路４６に入れ、搬送ローラ４７で搬送して複写機本体１００内の給紙路４８に導き、レジストローラ４９に突き当てて止める。給紙はこの外に、給紙ローラ５０を回転して手差しトレイ５１上の転写紙を繰り出し、分離ローラ５２で１枚ずつ分離して手差し給紙路５３に入れ、同じくレジストローラ４９に突き当てて止めるようにしてもよい。
【００３２】
そして、中間転写体１０上の合成カラー画像にタイミングを合わせてレジストローラ４９を回転し、中間転写体１０と２次転写装置２２との間に転写紙を送り込み、２次転写装置２２で転写して転写紙上にカラー画像を記録する。
【００３３】
画像転写後の転写紙は、２次転写装置２２によって定着装置２５へと送り込み、定着装置２５で熱と圧力とを加えて転写画像を定着した後、切換爪５５で切り換えて排出ローラ５６で排出し、排紙トレイ５７上にスタックする。こんとき、切換爪５５で切り換えて転写紙反転装置２８に入れ、そこで反転して再び転写位置へと導き、裏面にも画像を記録して後、排出ローラ５６で排紙トレイ５７上に排出するようにもできる。
【００３４】
一方、画像転写後の中間転写体１０は、中間転写体クリーニング装置１７で、画像転写後に中間転写体１０上に残留する残留トナーを除去し、タンデム画像形成部２０による再度の画像形成に備える。なお、レジストローラ４９は一般的には接地されて使用されることが多いが、転写紙の紙粉除去のためにバイアスを印加することも可能である。
【００３５】
図２は構成例として、デジタルＰＰＣのスキャナ部の画像データーの流れを示す。読み取りユニット３００は、主にＣＣＤ３１１、アナログ処理回路３１２、ＡＤ変換器３１３、タイミング処理ＩＣ３１４で構成され、ＣＣＤ３１１で読み込んだ原稿情報は、アナログ信号からデジタル信号へと変換され、画像処理ユニット５００に送られる。白黒の読み取り装置の場合、出力は１系統（読み取りデータレートによっては２出力、４出力の物があるが、センサのラインとしては一つである。）であるが、カラー読み取り装置の場合は、Ｒ、Ｇ、Ｂの３出力が一般的であり、それぞれの色出力に対応して３系統の読み取りユニット３００が存在することになる。
【００３６】
アナログ処理回路３１２は、クランプ回路、ゲイン補正回路等で構成され、ＣＰＵ５２３からタイミング生成ＩＣ、ＤＡ変換を介して黒レベル、白レベルなどの読み取りレベルを、クランプレベルやゲインを変えることによって調整することができる。
【００３７】
後段の画像処理ユニット５００はピーク検出ブロック５２１、画像処理ＩＣ５２２、ＣＰＵ５２３及びメモリ５２４を有し、読み取りユニット３００で生成されたデジタル画像データが入力され、調整時に必要なデータのサンプリングやシェーディング処理、ガンマ補整処理、変倍処理、フィルター処理等の画像補整を行う。
【００３８】
ここで、図２を前提に従来の読み取りシーケンスについて図３を参照して説明する。ここで行う調整は、黒レベル調整（ステップＳ４）、白レベル調整（ステップＳ５）であり、読み取りユニット３００の省エネモード復帰時（ステップＳ１→Ｓ２）、特に読み取りユニット３００の電源ＯＦＦ→ＯＮを伴う時に行われる制御である。図３では、単色（白黒）のシーケンスを示しているが、カラー読み取り装置では、３色（Ｒ、Ｇ、Ｂ）の出力があるのでこのシーケンスを３回行うことになる。したがって、単純計算では、３倍の時間がかかることになり、時間の短縮が求められていた。
【００３９】
＜実施形態１＞
従来では前述の通り、電源on時や省エネモードからの復帰時にこれらの調整を行っており、調整が終了するまでユーザーは待つ必要がある。以前は、単体の複写機であればエンジンの定着ユニットの立ち上がり時間の方が時間がかかっていたために、読み取りユニット３００の立ち上がり時間については、さほど問題になることが無かった。しかしながら、環境問題、省エネルギーの観点から頻繁に省エネモードに移行することが増え、それに伴って、関連する各ユニットの立ち上がり時間の改善や、ネットワーク等の共有接続端末からのスキャナとしての利用ニーズが生じ、読み取り装置の立ち上がり時間短縮は、非常に重要な問題になってきている。
【００４０】
実施形態１ではこの問題を解決するために、まず、従来と同様に生産工場やリペア拠点のように設備管理された場所においては、３色の出力とも調整を行い、その調整値は、それぞれ装置の不揮発性のメモリ２４に保管する。そのような場所での調整については、従来通りに時間がかかることになるが、ユーザーのニーズには影響しない。この調整は、市場における調整と区別するために、工場専用モード調整として行うこととする。そして、それぞれの調整が終了し、製品として出荷された後は、ユーザーが使用することになりこの専用モードが動作することは、リペア時を除いて原則としてないことになる。
【００４１】
不揮発性メモリ２４に保管された、工場出荷時の調整設定値は、例えば
出力＼調整設定値  黒レベル  白レベル
Ｒ：              α        β
Ｇ：              γ        δ
Ｂ：              ε        ζ
となったとする。
【００４２】
このとき、本発明では、１色の出力のみ調整するので、ここでは仮に、白黒モードで使用されることの多いＧ出力で調整が行われるとすると、他の出力への設定は、
出力＼調整設定値  黒レベル  白レベル
Ｒ：              αnew     βnew
Ｇ：              γnew     δnew
Ｂ：              εnew     ζnew
とすると、Ｇは調整値そのままを設定し、Ｒ、Ｂは、
Ｒ：  αnew＝（α／γ）×γnew，βnew＝（β／δ）×δnew
Ｂ：  εnew＝（ε／γ）×γnew，ζnew＝（ζ／δ）×ζnew
と、工場出荷時の調整設定値の比を利用して、他の２色の調整設定値を求め、設定を行う。このことにより、従来行っていた３色の調整を行うことなく１色の調整から代用設定値を求めることができるため、装置の立ち上がり時間を大幅に短縮することが可能である。
【００４３】
この処理を説明するためのフローチャートを図４に示す。図４において、ＣＰＵ５２３は省エネモード中又は電源遮断中（ステップＳ１１）から省エネモード復帰命令又は電源オン（ステップＳ１２）を経由すると、キャリッジをホームポジションに戻すホーミングと初期データの設定を行い（ステップＳ１３）、次いでＧ出力黒レベル調整を行い（ステップＳ１４）、次いで白レベル調整を行う（ステップＳ１５）。
【００４４】
次いで調整が正常に終了すれば（ステップＳ１６でイエス）、工場出荷時のデータをメモリ２４から呼び出し（ステップＳ１７）、次いでＲ、Ｇ出力設定値を演算し（ステップＳ１８）、次いでその演算した調整値をメモリ２４に設定し（ステップＳ１９）、スキャンレディ（ステップＳ２０）を経由して終了する。また、ステップＳ１６において調整が正常に終了しなければ、エラー表示（ステップＳ２１）を経由して終了する。
【００４５】
＜実施形態２＞
実施形態２では、実施形態１の読み取り装置において、市場にて調整を行う色出力をＲ、Ｇ、Ｂの任意の１つに固定するのではなく、調整毎に可変にすることに特徴がある。ここで、実施形態１の発明では、３色出力の内、常に同じ１出力のみについて調整を行い、その調整結果と工場出荷時の３色の調整結果を利用して他の２出力の調整値を求めるものである。この場合、調整を行う色出力は、あらかじめ定めた色出力のみであり変わることがない。各色出力のバランス（光源の色バランス等）が工場出荷時と同等であり、経年変化等がない場合は、これでも問題は生じない。
【００４６】
しかしながら、経年変化があり、例えば光源の色味が変化するような場合には、程度にもよるがこのバランスが崩れ、適正な代用調整値が求められなくなってくる可能性がある。そこで、実施形態２では、市場にて調整を行う色出力について、あらかじめ定められた順序に従い、調整をおこなう色出力を変化させることに特徴がある。
【００４７】
実施形態２の動作例について図５を参照して説明する。ＣＰＵ５２３は前回、前々回の調整色がＲ、ＢであればＧ出力を調整し（ステップＳ３１→Ｓ３２）、前回、前々回の調整色がＲ、ＧであればＢ出力を調整し（ステップＳ３３→Ｓ３４）、前回、前々回の調整色がＧ、ＢであればＲ出力を調整する（ステップＳ３５→Ｓ３６）。次いで実施形態１の調整を行う（ステップＳ３７）。実施形態２のメリットとして、必ずＲ、Ｇ、Ｂのどの色出力も調整が入ることになり、光源等のバランスが変化していってもその差を補正することが可能となる。
【００４８】
＜実施形態３＞
実施形態３では、実施形態１、２の調整を行った場合に、ユーザーによっては、その結果、得られる画像品質に関して不満を感じる場合に、回避する手段を提供することを目的としている。ほとんどの場合、シェーディング補正等を画像処理部２２にて行っているため、わずかな調整誤差が問題になる場合は少ない。
【００４９】
しかしながら、調整誤差が存在するのは確かであり、より高度な画像を要求される場合には、従来の通り、３色出力とも調整を行った方がよい結果が得られる可能性がある。そのようなときに、読み取り装置の操作部または、ネットワーク等で接続されている端末上から３色調整を指示できるようにしておけば、必要なときだけ３色出力の調整を行うことができる。
【００５０】
この場合の処理について図６を参照して説明する。ＣＰＵ５２３は省エネモード中又は電源遮断中（ステップＳ１１）から省エネモード復帰命令又は電源オン（ステップＳ１２）を経由すると、キャリッジをホームポジションに戻すホーミングと初期データの設定を行い（ステップＳ１３）、次いで実施形態１又は２の調整を行う（ステップＳ４０）。そして、ユーザに対して３色出力とも調整を行うか否かを問い合わせ（ステップＳ４１）、調整を行う指示があった場合（ステップＳ４１でＮＯ）には、調整リセットを実行し（ステップＳ４２）、次いで３色出力とも調整を行う（ステップＳ４３）。
【００５１】
【発明の効果】
以上説明したように本発明によれば、省エネモード復帰時に行っていた読み取り設定値の調整動作を少なくして復帰時間を短縮することにより、ユーザーの待ち時間を短縮するとともに、頻繁に省エネモードに移行しても復帰が早いためユーザーに与えるストレスが軽減され、間接的に環境に省エネルギーとして貢献することができる。
【００５２】
また、調整に使用する色出力を可変することによって、光源の色バランスが工場出荷時から崩れた場合でも各色の調整結果をフィードバックさせることによって補正することが可能となり、より変動バラツキの少ない画像が得られる。
【００５３】
また、調整で満足されないより高度な画像を得たい場合にユーザーが選択できる手段を提供することにより、それぞれの画質要求に応じることができる。
【図面の簡単な説明】
【図１】本発明に係るカラー読み取り装置を備えたカラー画像形成装置の一実施形態を示す概略構成図である。
【図２】図１に示したカラー画像形成装置の制御構成の概略を示すブロック図である。
【図３】本発明と比較するための従来の処理を説明するためのフローチャートである。
【図４】本発明の処理を説明するためのフローチャートである。
【図５】第２の実施形態の処理を説明するためのフローチャートである。
【図６】第３の実施形態の処理を説明するためのフローチャートである。
【符号の説明】
１１  ＣＣＤ
２２  画像処理ＩＣ
２３  ＣＰＵ
２４  メモリ
【図１】
2004214723.tif 000003
【図２】
2004214723.tif 000004
【図３】
2004214723.tif 000005
【図４】
2004214723.tif 000006
【図５】
2004214723.tif 000007
【図６】
2004214723.tif 000008